(57)【要約】【課題】工作機械の消耗品を簡単、かつ、正確に発注できるようにすること。【解決手段】工作機械２０２の制御装置が、消耗品の消耗度合いが所定値を超えたときに保守メッセージを消耗品管理画面内に表示する消耗品管理部１１０と、消耗品管理画面内に消耗品名に対応させて表示された注文釦をタップまたはクリックしたとき、発注書のプレビューを生成して発注書確認画面内に出力釦と共に表示する発注書作成部１０６と、出力釦をタップまたはクリックすることによって、消耗品の発注書の電子データを出力する出力部１０８とを備える。【選択図】図１
2019067093.tif 000002
【特許請求の範囲】
【請求項１】
工作機械に付属され、該工作機械の動作を制御すると共に、該工作機械に使用されている消耗品の保守管理を行う工作機械の制御装置において、
前記消耗品毎の所定保守時間、前記工作機械の情報、消耗品の発注先情報および発注書のフォーマットデータを記憶する記憶部と、
前記消耗品の各々について記憶している前記所定保守時間に基づいて消耗度合いを演算して消耗品管理画面内に表示すると共に、演算値が所定の消耗度合いを超えているとき、保守メッセージを前記消耗品管理画面内に表示する消耗品管理部と、
前記消耗品管理画面内に表示された消耗品名に対応させた注文釦をオペレータが操作したとき、前記記憶部から前記工作機械の情報、前記消耗品の発注先情報および発注書のフォーマットデータを読み出して、当該消耗品情報、発注者情報および配送先情報の記載された発注書のプレビューを生成し発注書確認画面内に表示する発注書作成部と、
出力釦が操作されたとき、前記消耗品の発注書データを出力する出力部と、
を具備することを特徴とした消耗品発注書作成機能を有する工作機械の制御装置。
【請求項２】
前記出力釦は、前記発注書データを該工作機械の制御装置に接続されたプリンタに出力する印刷釦、電子データのまま外部の記録媒体に出力する電子データ釦、および、通信ネットワークを介して発注先に電子メールに添付して送信するメール釦の少なくとも１つを含む請求項１に記載の工作機械の制御装置。
【請求項３】
前記消耗品管理部は、消耗品の点検・交換履歴を記憶しており、オペレータの指示に応じて、消耗品管理画面内に点検・交換履歴を表示する請求項１に記載の工作機械の制御装置。
【請求項４】
前記消耗品管理部は、消耗品の画像、点検・交換方法を記憶しており、オペレータの指示に応じて、消耗品の画像、点検・交換方法を表示する請求項１に記載の工作機械の制御装置。
【発明の詳細な説明】
【技術分野】
【０００１】
本発明は、工作機械の消耗品を簡単、かつ、正確に発注できるようにした消耗品発注書作成機能を有する工作機械の制御装置に関する。
【背景技術】
【０００２】
特許文献１には、部品メーカーが部品を制作する際に用いた図面データ（ＣＡＤデータ）を部品発注端末に表示し、この表示画面上で部品をポインティングデバイスで指定することにより部品番号を得て、発注書を作成するようにしたオンライン受発注システムが記載されている。
【先行技術文献】
【特許文献】
【０００３】
【特許文献１】特開２００１−１８８８５１号公報
【発明の概要】
【発明が解決しようとする課題】
【０００４】
特許文献１のオンライン発注システムは、図面データに基づいて部品の発注データを作成するので、オペレータが部品形状や機械のどの部分で利用するかがわかっている部品については、カタログを参照することなく、部品番号を検索して発注データを作成することが可能であるが、オペレータは機械の部品について熟知していなければらないので、実際上はシステムを使いこなすことは難しいと言わざるを得ない。
【０００５】
特許文献１のオンライン発注システムは、図面データに基づいて部品の発注データを作成しているが、オペレータが真に発注すべき部品について思い違いをしているような場合には、間違った部品の発注を防止することはできない。更に、特許文献１のオンライン発注システムでは、オペレータがポインティングデバイスを用いて発注する部品を選択しているので、必要な部品を発注する図面データ中の多数の部品データからポインティングデバイスを用いて選択するときに、間違った部品をクリックして選択してしまう可能性もある。
【０００６】
更に、特許文献１のオンライン発注システムは、工作機械とは独立していて、その作用上、工作機械とは何ら相互に関連し合っていないので、工作機械の保守や部品交換に際して、オペレータが必要な交換部品をオンライン発注システムに正確に入力されるか否かは、オペレータの入力作業に依存しており、その点、システム側は何らの保証も与えない。
【０００７】
本発明は、こうした従来技術の問題を解決することを技術課題としており、工作機械の消耗品を簡単、かつ、正確に発注できるようにした工作機械の消耗品の発注書作成機能を有した制御装置を提供することを目的としている。
【課題を解決するための手段】
【０００８】
上述の目的を達成するために、本発明によれば、工作機械に付属され、該工作機械の動作を制御すると共に、該工作機械に使用されている消耗品の保守管理を行う工作機械の制御装置において、前記消耗品毎の所定保守時間、前記工作機械の情報、消耗品の発注先情報および発注書のフォーマットデータを記憶する記憶部と、前記消耗品の各々について記憶している前記所定保守時間に基づいて消耗度合いを演算して消耗品管理画面内に表示すると共に、演算値が所定の消耗度合いを超えているとき、保守メッセージを前記消耗品管理画面内に表示する消耗品管理部と、前記消耗品管理画面内に表示された消耗品名に対応させた注文釦をオペレータが操作したとき、前記記憶部から前記工作機械の情報、前記消耗品の発注先情報および発注書のフォーマットデータを読み出して、当該消耗品情報、発注者情報および配送先情報の記載された発注書のプレビューを生成し発注書確認画面内に表示する発注書作成部と、出力釦が操作されたとき、前記消耗品の発注書データを出力する出力部とを具備する消耗品発注書作成機能を有する工作機械の制御装置が提供される。
【発明の効果】
【０００９】
本発明によれば、消耗品の消耗度合いが所定値を超えたときに保守メッセージを消耗品管理画面内に表示し、該消耗品管理画面内に表示された消耗品名に対応させた注文釦をオペレータが操作したとき、発注書のプレビューを生成して発注書確認画面内に表示し、出力釦を操作することによって、消耗品の発注書データが出力されるようにしたので、オペレータは適時に簡単かつ正確に発注書を消耗品の提供者である例えばサービス会社に送付することが可能となる。
【図面の簡単な説明】
【００１０】
【図１】本願発明の好ましい実施形態による工作機械の制御装置のブロック図である。
【図２】本願発明の好ましい実施形態による発注書作成手順を示したフローチャートである。
【図３】表示・入力部に表示されるオペレーション画面の一例を示す図である。
【図４】表示・入力部に表示される消耗品管理画面の一例を示す図である。
【図５】消耗品管理部画面の部品情報タブの一例を示す図である。
【図６】表示・入力部に表示される発注書確認作成画面の一例を示す図である。
【図７】表示・入力部に表示される発注書確認画面の一例を示す図である。
【図８】表示・入力部に表示されるアラーム画面の一例を示す図である。
【発明を実施するための形態】
【００１１】
以下、添付図面を参照して、本発明の好ましい実施形態を説明する。
図１において、工作機械２０２は、機械制御装置１００と、ＮＣ装置２００とによって制御される。工作機械２０２は、一例としてテーブル（図示せず）に固定したワーク（図示せず）と、該ワークに対してレーザー光線を照射する光学ヘッド（図示せず）とをＮＣ装置２００によって制御される送り装置（図示せず）によって相対的に移動させてワークを加工するレーザ加工機である。該レーザ加工機の送り装置以外の装置ユニット、例えば、前記光学ヘッドからレーザ光線を照射する発振器、レーザ光線のアライメント調整装置、レーザ光線をガイドするために光学ヘッドからウォータジェットを噴出するための純水供給装置等は機械制御装置１００によって制御される。
【００１２】
機械制御装置１００は、工作機械２０２の上記装置ユニットを制御する機械制御部１０２、および、本発明の消耗品発注書作成機能を有する工作機械の制御装置の要部を形成する表示・入力部１０４、発注書作成部１０６、出力部１０８、消耗品管理部１１０および記憶部１１２を具備する。つまり、図１の実施形態では、本発明の消耗品発注書作成機能を有する工作機械の制御装置は、工作機械２０２の機械制御装置１００の一部から形成されている。然しながら、本発明の消耗品発注書作成機能を有する工作機械の制御装置は、機械制御装置１００とは独立した制御装置としてもよい。
【００１３】
機械制御部１０２は、ＮＣ装置２００が読取り解釈した加工プログラムおよび表示・入力部１０４を通じて入力されたオペレータの指示に従い、送り装置を除く工作機械２００の上記装置ユニットを制御すると共に、工作機械２００の上記装置ユニットの動作状況を表示・入力部１０４を通じて外部に表示する。
【００１４】
表示・入力部１０４は、工作機械２０２の操作盤（図示せず）に設けることができ、オペレータが画面を接触することにより所望の部分の選択が可能なタッチパネル（図示せず）によって形成することができる。表示・入力部１０４は、後述するように、ＮＣ装置２００、機械制御部１０２、消耗品管理部１１０および発注書作成部１０６からの出力に基づいて種々の画面を表示する。表示・入力部１０４は、タッチパネル式に代えて、表示部と入力部とがそれぞれ独立していて、入力部のポインティングデバイスで表示部を指示したり、操作盤の表示部近傍に配置された機械式の釦スイッチで情報入力をするようにしてもよい。
【００１５】
出力部１０８は工作機械２０２の操作盤（図示せず）に設けることができ、機械制御装置１００とプリンタ（図示せず）やＵＳＢメモリのようなリムーバブルドライブとを接続するＵＳＢポート（図示せず）、機械制御装置１００を所内LANに接続されたプリンタ（図示せず）やパーソナルコンピュータ２０６、インターネット２０８等に接続する有線または無線ＬＡＮポート（図示せず）、或いは、シリアルまたはパラレルポートのような入出力ポート（図示せず）等によって構成することができる。
【００１６】
記憶部１１２は、電子データを格納するハードディスク（図示せず）やソリッドステートドライブ(SSD)（図示せず）等のストレージデバイス内に定義された記憶領域から形成することができる。機械制御部１０２、発注書作成部１０６および消耗品管理部１１０は、機械制御装置１００を構成する中央演算素子（図示せず）、ランダムアクセスメモリ（図示せず）、読み取り専用メモリ（図示せず）、記憶部１１２内に定義された記憶領域、これらを相互接続する双方向バス（図示せず）および関連するソフトウェアから構成することができる。
【００１７】
記憶部１１２には、工作機械２０２の型式、製造番号、製造年月日等の工作機械情報、工作機械２０２の顧客名、住所、電話番号、担当部署名、納入年月日等のユーザ情報、消耗品の発注書のフォーマット等の発注書情報、および、消耗品を顧客に提供するサービス会社の名称、住所、電話番号、ファックス番号、メールアドレス等のサービス会社情報に関連した電子データが格納される。
【００１８】
消耗品管理部１１０は、工作機械２０２の各消耗品の名称、型式、保守時間、保守方法、画像、納期、点検・交換の方法等の消耗品保守情報、および、過去に行った保守作業の年月日、点検／交換の別等の消耗品履歴情報を記憶すると共に、各消耗品について最後に交換されてから経過した期間を積算し、これを各消耗品について予め決められている交換時間に対する比率、つまり消耗度合いを演算する。消耗品管理部１１０は、また、これら消耗品保守情報、消耗品履歴情報および消耗度合いを表示・入力部１０４に表示する。
【００１９】
発注書作成部１０６は、後述するように、オペレータが選択した消耗品に関連して記憶部１１２から前記工作機械情報、消耗品の発注先情報および発注書のフォーマットデータを読み出して、該消耗品の発注書の電子データを作成する。発注書作成部１０６は、また該発注書の電子データを表示・入力部１０４にプレビューとして表示したり、出力部１０８を通じて機械制御装置１００の外部に出力する。
【００２０】
以下、図２〜図７を参照して、本実施形態の作用を説明する。
先ず、図３を参照すると、加工中の工作機械２０２の状況を示すオペレーション画面１０の一例が図示されている。オペレーション画面１０は、生産タブ１２、ステータスタブ１４、機能選択領域１６、プログラム表示領域１８、ＮＣ実行条件表示領域２０、座標表示領域２４および加工条件表示領域２６を含む。オペレーション画面１０は、工作機械２０２が作動している間、ＮＣ装置２００および機械制御部１０２からの出力に基づいて標準的に表示される画面であり、オペレーション画面１０を監視することによって、オペレータは工作機械２０２の現在の加工状況や各装置ユニットの動作状況を把握するようになっている。
【００２１】
図２を参照すると、オペレータが消耗品を発注する場合の発注書作成手順を示したフローチャートが示されている。工作機械２０２が作動中、オペレータが、オペレーション画面１０中のステータスタブ１４を開いた後、後述する消耗品管理釦３２ａをタップまたはクリックすると、消耗品管理部１１０は、図４に示す消耗品管理画面３０を表示・入力部１０４に表示する（ステップＳ１０）。消耗品管理画面３０は、機能選択領域３２、部品消耗率表示領域３４、消耗品の経過時間表示領域３６および保守情報表示領域３８を含む。機能選択領域３２には、少なくとも上記の消耗品管理釦３２ａとアラーム釦３２ｂとを含む。保守情報表示領域３８は、ガイドタブ４０、点検履歴タブ４４および部品情報タブ５０を含む。機能選択領域３２には、消耗品管理画面３０に表示されるカテゴリーを選択するための釦が項目名と共に表示される。
【００２２】
消耗品管理部１１０は、各消耗品について予め決められている交換時間に対する最後に交換されてから経過した期間の比率である消耗度合いが所定値を超えたとき、保守メッセージを該消耗度合いと共に部品消耗率表示領域３４に表示する（ステップＳ１２）。保守メッセージは、単に保守・交換が必要になった消耗品を関連する装置ユニットと共に表示したり、或いは、クォーテーションマークと共に表示するようにできる。保守メッセージを表示するための消耗度合いの閾値は、各消耗品について個別に決定することができ、例えば、発注してから配送先へ実際に消耗品が届くまでの期間である納期が長くかかる消耗品については、消耗度合いが小さくても部品消耗率表示領域３４に保守メッセージを表示するようにできる。部品消耗率表示領域３４に表示される消耗品名をタップまたはクリックして選択すると、当該消耗品の経過時間表示領域３６に最終点検日、運転時間および経過時間が表示される。図４では、レーザ加工機のレーザ光線とウォータジェットを射出するノズル（図示せず）を光学ヘッドに結合するためのカップリングユニットのコアメンテナンスが選択されている。
【００２３】
オペレータが保守情報表示領域３８のガイドタブ４０中の参照釦４２をタップまたはクリックすると、消耗品管理部１１０は、保守方法を主要な工程に分けて図解（図４では３つの四角ブランクで示されている）付きで表示する。保守方法には、交換時間や使用工具等のテキスト情報が含まれる。保守方法を動画で示すと一目瞭然なものについては、動画を表示させることができる。また、インターネット２０８を通じてサービス会社２１０と情報のやり取りができる構成を有していれば、工作機械ユーザに当初配布した保守マニュアルに記載した保守方法が改訂された場合、消耗品が製造中止で代替品に変更された場合等、最新の保守方法を閲覧することができる。
【００２４】
部品情報タブ５０を開くと、図５に示すように、消耗品の一覧、本実施形態では、カップリングユニットコアの消耗品の一覧が表示される。消耗品の一覧は、部品名称欄５２、部品番号欄５４、当該部品の型式欄５６および注文釦５８を含む。オペレータが、要素部品ごとに発注の要否を判断して、所望の消耗品に対応した注文釦５８をタップまたはクリックして選択し、発注書確認作成釦６０をタップまたはクリックする（ステップＳ１４）と、発注書作成部１０６は、図６に示す発注書確認作成画面８０を開く。
【００２５】
発注書確認作成画面８０は、発注元表示領域８２、配送先表示領域８４、発注品一覧８６および操作ボタン８８を含む。発注元表示領域８２には、少なくとも発注者の名称、住所および担当者名を含む発注者情報が表示される。発注者情報は、発注者の発注番号、郵便番号、電話番号、ファックス番号や、担当部署の名称、担当者メールアドレス等を含むことができる。配送先表示領域８４には、少なくとも消耗品の配送先の名称および住所を含む配送先情報が表示される。配送先情報は、配送先の郵便番号、電話番号、部署および担当者名等を含むことができる。発注品一覧８６には、少なくとも発注する消耗品の名称、部品番号および発注数を含む発注部品情報が表示される。発注品一覧８６に、発注する消耗品の単価、措置ステータス、合計金額等を表示してもよい。操作ボタン８８は、戻る釦８８ａ、発注書作成釦８８ｂおよび取り消し（キャンセル）釦８８ｃを含む。
【００２６】
戻る釦８８ａをタップまたはクリックすることにより、図５の消耗品の一覧を示した部品情報タブ５０を含む消耗品管理画面３０に戻る。これにより、オペレータは発注すべき消耗品を追加可能となる。取り消し（キャンセル）釦８８ｃをタップまたはクリックすることにより、消耗品管理画面３０で選択した全ての消耗品が取り消され、消耗品管理画面３０へ戻る。このように、発注書作成部１０６は、オペレータが、発注品の一覧を参照しつつ対話形式で発注すべき消耗品を選択し、発注書を作成する（ステップＳ１６）ことを可能とする。オペレータが、発注書作成釦８８ｂをタップまたはクリックすると、発注書作成部１０６は、図７に示す発注書確認画面９０を表示する。
【００２７】
発注書確認画面９０は最終的に発注先に送信される発注書のプレビュー画面と出力釦９４〜９８とを含む。出力釦９４〜９８は、印刷釦９４、電子データ釦９６およびメール釦９８を含む。プレビュー画面は、発注年月日を表示する領域９０ａ、発注書の宛名を表示する領域９０ｂ、発注元の情報および工作機械２０２の情報を表示する領域９０ｃ、合計金額を表示する領域９０ｄ、配送先の名称、住所、担当者名、電話番号等の配送先情報を表示する領域９０ｅおよび発注品一覧９２を含む。発注書作成部１０６が発注書確認画面９０中のプレビュー画面を表示することによって、オペレータは最終的に発注先に送信される発注書を目視、確認することができる（ステップＳ１８）。
【００２８】
確認後、オペレータが出力釦９４〜９８から１つの釦を選択してタップまたはクリックすると、発注書作成部１０６は、作成された発注書の電子データをオペレータの選択に従い出力部１０８に出力（ステップＳ２０）する。オペレータが印刷釦９４をタップまたはクリックすると、発注書の電子データが出力部１０８に接続されているプリンタ（図示せず）に出力され、紙の発注書が印刷、出力される。この場合、オペレータは、印刷された紙の発注書を用いてファックス２０４（図１）または郵送でサービス会社２１０（図１）に送信する（ステップＳ２２）ことができる。
【００２９】
オペレータが、電子データ釦９６をタップまたはクリックすると、発注書の電子データが出力部１０８から外部の記憶媒体、例えばＵＳＢメモリ（図示せず）に出力される。この場合、オペレータは、ＵＳＢメモリをインターネット２０８（図１）に接続されているパーソナルコンピュータ２０６に接続して、出力された電子データを電子メールに添付してサービス会社２１０に送信する（ステップＳ２２）ことができる。オペレータが、メール釦９８をタップまたはクリックすると、出力部１０８から通信ネットワーク、具体的にはインターネット２０８経由でサービス会社２１０へ発注書の電子データを添付した電子メールが自動送信される（ステップＳ２２）。
【００３０】
また、消耗品管理部１１０は、オペレータが、オペレーション画面１０のステータスタブ１４を開いてアラーム釦３２ｂをタップまたはクリックしたときに、図８に示すアラーム画面７０を表示・入力部１０４に表示する。アラーム画面７０は、現在アラームタブ７２とアラーム履歴タブ７４とを含む。図８には現在アラームタブ７２が開いた状態が示されている。現在アラームタブ７２には、オペレータがアラーム釦３２ｂをタップまたはクリックしたときにアラームが発生している、つまり何らかの不具合を生じている装置ユニットの一覧が表示される。次いで、オペレータが、不具合を生じている装置ユニットを選択してタップまたはクリックすると、消耗品管理部１１０は、表示・入力部１０４に消耗品管理画面３０を表示する。オペレータが、消耗品管理画面３０のガイドタブ４０の参照釦４２をタップまたはクリックすると、既述したように、保守方法が主要な工程に分けて図解付きで表示され、オペレータが容易に不具合を解消することが可能となる。その際、部品の交換を要する場合には、既述したように、部品情報タブ５０を開いて、図２のフローチャートに従い説明したように容易に発注書を作成することが可能となる。
【００３１】
また、既述の実施形態では工作機械２０２はレーザ加工機であったが、テーブル（図示せず）に固定したワーク（図示せず）と、回転主軸（図示せず）に取り付けた工具とをＮＣ装置２００によって制御される送り装置（図示せず）によって相対移動させてワークを加工するマシニングセンタや、回転主軸（図示せず）に取り付けたワークと刃物台（図示せず）に取り付けた工具とをＮＣ装置２００によって制御される送り装置（図示せず）によって相対移動させてワークを加工するＮＣ旋盤や、テーブル（図示せず）に固定したワーク（図示せず）と、総形電極またはワイヤ電極とをＮＣ装置２００によって制御される送り装置（図示せず）によって相対移動させてワークを加工する放電加工機であってもよい。
【符号の説明】
【００３２】
３０    消耗品管理画面
３４    部品消耗率表示領域
３６    経過時間表示領域
３８    保守情報表示領域
８０    発注書確認作成画面
９０    発注書確認画面
９４    印刷釦
９６    電子データ釦
９８    メール釦
１００    機械制御装置
１０２    機械制御部
１０４    表示・入力部
１０６    発注書作成部
１０８    出力部
１１０    消耗品管理部
１１２    記憶部
２０２    工作機械
【図１】
2019067093.tif 000003
【図２】
2019067093.tif 000004
【図３】
2019067093.tif 000005
【図４】
2019067093.tif 000006
【図５】
2019067093.tif 000007
【図６】
2019067093.tif 000008
【図７】
2019067093.tif 000009
【図８】
2019067093.tif 000010
【手続補正書】
【提出日】平成30年11月12日(2018.11.12)
【手続補正１】
【補正対象書類名】明細書
【補正対象項目名】０００８
【補正方法】変更
【補正の内容】
【０００８】
上述の目的を達成するために、本発明によれば、工作機械に付属され、該工作機械の動作を制御すると共に、該工作機械に使用されている消耗品の保守管理を行う工作機械の制御装置において、前記消耗品毎の所定保守時間、前記工作機械の情報、消耗品の発注先情報および発注書のフォーマットデータを記憶する記憶部と、前記消耗品の各々について記憶している前記所定保守時間に基づいて消耗度合いを演算して工作機械の操作盤の表示・入力部の消耗品管理画面内に表示すると共に、各消耗品の保守情報を表示し、演算値が所定の消耗度合いを超えているとき、保守メッセージを前記消耗品管理画面内に表示する消耗品管理部と、前記消耗品管理画面内の前記保守情報として表示された消耗品名に対応させた注文釦をオペレータが操作したとき、前記記憶部から前記工作機械の情報、前記消耗品の発注先情報および発注書のフォーマットデータを読み出して、当該消耗品情報、発注者情報および配送先情報の記載された発注書のプレビューを生成し発注書確認画面内に表示する発注書作成部と、出力釦が操作されたとき、前記消耗品の発注書データを出力する出力部とを具備する消耗品発注書作成機能を有する工作機械の制御装置が提供される。
【手続補正２】
【補正対象書類名】特許請求の範囲
【補正対象項目名】全文
【補正方法】変更
【補正の内容】
【特許請求の範囲】
【請求項１】
工作機械に付属され、該工作機械の動作を制御すると共に、該工作機械に使用されている消耗品の保守管理を行う工作機械の制御装置において、
前記消耗品毎の所定保守時間、前記工作機械の情報、消耗品の発注先情報および発注書のフォーマットデータを記憶する記憶部と、
前記消耗品の各々について記憶している前記所定保守時間に基づいて消耗度合いを演算して工作機械の操作盤の表示・入力部の消耗品管理画面内に表示すると共に、各消耗品の保守情報を表示し、演算値が所定の消耗度合いを超えているとき、保守メッセージを前記消耗品管理画面内に表示する消耗品管理部と、
前記消耗品管理画面内の前記保守情報として表示された消耗品名に対応させた注文釦をオペレータが操作したとき、前記記憶部から前記工作機械の情報、前記消耗品の発注先情報および発注書のフォーマットデータを読み出して、当該消耗品情報、発注者情報および配送先情報の記載された発注書のプレビューを生成し発注書確認画面内に表示する発注書作成部と、
出力釦が操作されたとき、前記消耗品の発注書データを出力する出力部と、
を具備することを特徴とした消耗品発注書作成機能を有する工作機械の制御装置。
【請求項２】
前記出力釦は、前記発注書データを該工作機械の制御装置に接続されたプリンタに出力する印刷釦、電子データのまま外部の記録媒体に出力する電子データ釦、および、通信ネットワークを介して発注先に電子メールに添付して送信するメール釦の少なくとも１つを含む請求項１に記載の工作機械の制御装置。
【請求項３】
前記消耗品管理部は、消耗品の点検・交換履歴を記憶しており、オペレータの指示に応じて、消耗品管理画面内の前記保守情報として点検・交換履歴を表示する請求項１に記載の工作機械の制御装置。
【請求項４】
前記消耗品管理部は、消耗品の画像、点検・交換方法を記憶しており、オペレータの指示に応じて、消耗品管理画面内の前記保守情報として消耗品の画像、点検・交換方法を表示する請求項１に記載の工作機械の制御装置。